(57)【要約】  【課題】  眼科手術の際に、テレビを患者の上方へ容易に設置することを可能にする。  【解決手段】  上方から吊り下げ支持された手術用顕微鏡の鏡筒部５の外周部に、支持具８の中央部分を面ファスナーにより着脱自在に取り付けるとともに、支持具８の左右それぞれに水平方向に９０度開いた角度で突出する４本のバー８ａ〜８ｄを設ける。これらのバー８ａ〜８ｄに、取付具１１に抜き差し自在に取り付ける。さらに取付具１１に表示画面を下向きにした小型のＤＶＤ液晶カラーテレビ９を面ファスナーにより着脱自在に取り付ける。患者１６の僚眼の上方に、ＤＶＤ液晶カラーテレビ９を配置することで、患者１６は、画面を注視することが可能となり、眼球の不規則な運動が抑制されて、手術が容易となる。【選択図】  図７
2006068182.tif 000002
【特許請求の範囲】
【請求項１】
上方から吊り下げ支持された手術用顕微鏡の鏡筒部の外周部に中央部分が着脱自在に取り付けられるとともに、左右それぞれに水平方向に９０度開いた角度で突出する２本のバーを有する支持具と、
前記バーに抜き差し自在に取り付けられる取付具と、
該取付具に表示画面を下向きにして着脱自在に取り付けられるディスプレーと、
を備えたことを特徴とする眼科手術用画像表示装置。
【請求項２】
請求項１に記載の眼科手術用画像表示装置において、
前記ディスプレーとして、ＤＶＤ液晶カラーテレビを用いたことを特徴とする眼科手術用画像表示装置。
【請求項３】
請求項２に記載の眼科手術用画像表示装置において、
前記ディスプレーの画面に中央部を透明にして該中央部の周囲を半透明にしたフィルターを取り付けたことを特徴とする眼科手術用画像表示装置。
【請求項４】
請求項２に記載の眼科手術用画像表示装置において、
前記ＤＶＤ液晶カラーテレビにより再生するＤＶＤソフトとして、画面中央部を除く周囲部分の輝度を小さくするマスク処理を施したＤＶＤソフトを用いたことを特徴とする眼科手術用画像表示装置。
【請求項５】
請求項１乃至４のいずれかに記載の眼科手術用画像表示装置において、
前記支持具の鏡筒部との対向部に鏡筒の表面形状に対応した当接面を設け、該当接面と鏡筒部とにそれぞれ面ファスナーを貼着して支持具の着脱を可能にしたことを特徴とする眼科手術用画像表示装置。
【請求項６】
請求項１乃至５のいずれかに記載の眼科手術用画像表示装置において、
前記取付具とディスプレーとの間の着脱手段として面ファスナーを用いたことを特徴とする眼科手術用画像表示装置。
【発明の詳細な説明】
【技術分野】
【０００１】
本発明は、眼科における白内障や緑内障の手術の際に、手術眼が動き回らず安定して手術ができるように、手術をしない方の眼（以下、僚眼という）の前方に、小型テレビ等のディスプレーを配置しておいて、それに映し出された映像を僚眼が注視するようにする場合の、ディスプレーの保持構造に関する。
【背景技術】
【０００２】
眼科医院において、手術前の白内障手術患者は、手術室入室後、ベッド上で極度の緊張状態にある。また、手術に対する不安で、血圧は上昇傾向にあり、術中の手術眼の動きも不規則かつ不安定で、閉瞼（眼球上転）傾向にある。出願人は、白内障手術患者に対して、患者の不安を取り除き、手術を円滑に行うことを目的として、術前にベッド上で小型のＤＶＤ液晶カラーテレビ（以下、単にテレビという）を鑑賞させた後、テレビを僚眼の固視用視標として応用し、両眼開放で手術を施行した。そして、術前の患者の緊張の緩和と、術中の手術眼の眼位の安定について、良好な結果を得ることができた。その結果については、非特許文献１として、既に発表している。
【非特許文献１】浅原智美、浅原典郎、武藤政春、篠田陽子、脇大悟著、臨床眼科、第５６巻第１３号別刷、２００２年１２月１５日発行、医学書院
【発明の開示】
【発明が解決しようとする課題】
【０００３】
上述したように、僚眼にテレビの映像を見せて視点を集中させることで、手術眼の眼位を安定させることが可能になったが、このとき、テレビを術者患者の僚眼の前方に保持するために、専用のスタンドを用意した。そのスタンドは床面に自立できる構造で、上端を水平に屈曲させてその先端部にテレビを支持して、テレビの画面が、術者患者の僚眼の上方に位置するように、位置調整を行っていた。ところで、手術中には、術者患者の手術眼の上方に、手術用顕微鏡を配置しておかねばならず、この手術用顕微鏡のセッティングが終了した後に、テレビを支持するためのスタンドおよびその先端のテレビを、手術用顕微鏡やベッドと干渉することがないように、位置合わせをしなければならなかった。そのため、スタンドの水平アーム部も一定長さ以上必要となり、スタンド自体が大きくなる欠点があった。また、大型のスタンドを水平方向に移動して位置合わせする作業も、煩わしい作業であった。そこで、本発明は、位置合わせの煩わしい専用スタンドを用いることなく、テレビを術者患者の僚眼上方に保持することを可能にした眼科手術用画像表示装置を提案することを目的とした。
【課題を解決するための手段】
【０００４】
上記課題を解決するために、本発明は、上方から吊り下げ支持された手術用顕微鏡の鏡筒部の外周部に中央部分が着脱自在に取り付けられるとともに、左右それぞれに水平方向に９０度開いた角度で突出する２本のバーを有する支持具と、前記バーに抜き差し自在に取り付けられる取付具と、該取付具に表示画面を下向きにして着脱自在に取り付けられるディスプレーとを備えたことを特徴とする。
なお、前記ディスプレーとして、ＤＶＤ液晶カラーテレビを用いることが好ましい。
また、前記ディスプレーの画面に中央部を透明にして該中央部の周囲を半透明にしたフィルターを取り付けることも可能である。
さらには、前記ＤＶＤ液晶カラーテレビにより再生するＤＶＤソフトとして、画面中央部を除く周囲部分の輝度を小さくするマスク処理を施したＤＶＤソフトを用いることも可能である。
また、前記支持具の鏡筒部との対向部に鏡筒の表面形状に対応した当接面を設け、該当接面と鏡筒部とにそれぞれ面ファスナーを貼着して支持具の着脱を可能にすることも可能である。
同様に、前記取付具とディスプレーとの間の着脱手段として面ファスナーを用いることも可能である。
【発明の効果】
【０００５】
以上述べたように本発明によれば、術者患者の僚眼の上方に配置するテレビを、手術用顕微鏡の鏡筒部に取り付けた支持具に、取付具を介して、保持するようにしたため、専用スタンドを用いる場合よりも、簡単にテレビを保持することが可能となる。また、僚眼が左右異なる場合や、術者患者に対する執刀医師の方向すなわち手術用顕微鏡の方向が９０度変わった場合も、その方向に対応する支持具のバーに取付具を付け替えるだけでテレビの位置および方向を簡単に対応させることが可能となり、手術前のテレビを配置する準備作業が簡単となる。
【発明を実施するための最良の形態】
【０００６】
以下、図に基づいて本発明の実施形態を説明する。
図１は、眼科医院において手術に使用される顕微鏡の一例を示すものであり、天井に吊り下げられた軸１に、水平方向の移動を可能にするエレメント２，３が軸支され、エレメント３の先端に、顕微鏡本体４が支持されている。顕微鏡本体４は、鏡筒部５の下部に対物レンズ６が装着され、鏡筒部５の上部に接眼レンズ７が装着されている。本発明では、この鏡筒部５の側面に、支持具８を着脱自在に取り付け、さらに支持具８に、ディスプレーであるところのテレビ９が取り付けられた取付具１１を、抜き差し自在に取り付けるようにしたものである。
【０００７】
図２は、鏡筒部５へ取り付けられる支持具８および取付具１１を示す分解斜視図である。図示されるように、鏡筒部５の接眼レンズ７がない側の外側面に、面ファスナー１２を貼着しておき、同様に面ファスナーが貼着されている支持具８の板部１３を、着脱自在に吸着させる。板部１３の下部反対面には、金属製のフラットバーがハット型に折曲され、その内側にＬ字形に折曲したフラットバーが左右１対一体的に固定されている。すなわち、支持具８には、９０度ごとに４本のバー８ａ〜８ｄが突設されている。図では、バー８ｃに、取付具１１が抜き差し自在に取り付けられている。なお、各バー８ａ〜８ｄ、板部１３の互いの固定は、溶接、ビス、接着、リベット等を用いることも可能であり、板部１３と鏡筒部５との固定にも、面ファスナー以外に、ビス止めや爪、フックによる係合構造等にすることも可能である。
【０００８】
図３は取付具１１を示すものであり、取付具１１の上端の左右端部をコ字形に折曲して、その両端部に縦長の角孔１１a を穿設しておき、その角孔１１a に支持具８のバー８ａ〜８ｄのいずれかが抜き差し自在に挿入される。取付具１１の下端は幅方向両側に突出されるとともに、前方に９０度折曲されて受台部１１ｂが形成されている。この受け台部１１ｂにテレビが乗せられるので、テレビとの当接部に、フェルト等のクッション材を貼着しておくことも可能である。同様に、取付具１１の縦方向中間の前面にも、フェルト等のクッション材を貼着しておくことも可能である。
【０００９】
図４〜図６は、取付具１１にテレビ９を取り付けた状態を示す。テレビ９は、軽量小型であって開閉式のＤＶＤ液晶カラーテレビであり、ＤＶＤの再生機能を備えているものである。テレビ９を開いた状態で、下端を取付具１１の受台部１１ｂに乗せてから、取付具１１の背面から、ベルト１４を巻き付けて固定する。このベルト１４の両端には面ファスナーが貼着されているので、巻き付けて端部を重ねて押しつけるだけで、ベルト１４の両端が吸着される。なお、ベルト１４の中央部分を取付具１１の背面に予め接着しておくと、ベルト１４の巻き付けが簡単にできる。このテレビ９を取付具１１に取り付ける作業は、取付具１１を支持具８に取り付ける前に行うことが好ましいが、取付具１１を支持具８に取り付けた後でも可能である。このようにして、取付具１１にテレビ９が取り付けられると、テレビ９の表示画面９ａは下から見上げるようにして、見ることが可能となる。
【００１０】
図７は、このようにしてテレビ９が取り付けられた取付具１１を、支持具８に差し込んだ使用状態を示す。すなわち、ベッド１５の上に横たわった術者患者１６の術眼の上方に、顕微鏡の対物レンズ６が位置するようにセッティングする。次いで、僚眼の上方に位置する支持具８のバー８ａ〜８ｄのいずれかに、取付具１１を挿入して、僚眼のやや斜め上方に、テレビ９の表示画面９ａが位置するように調整する。この状態で、テレビ９をオンにして、テレビ放送や、ＤＶＤソフトを再生させて画面表示させておき、術者患者１６に、僚眼の方でその画面を注視させる。術者患者１６は、表示画面９ａを見ることで、注意が表示画面９ａに向けられて、手術前の不安感が緩和、または解消される。さらに、その状態から術眼に麻酔を施して手術を開始する。このときも、僚眼は、表示画面９ａ注視しているため、眼球の不規則な動きが抑制されて、術眼も安定して手術が円滑に進めることが可能となる。
【００１１】
次に、支持具８のバー８ａ〜８ｄの使用形態について説明する。眼科手術における執刀医師と術者患者１６の位置関係は、仰向けで横になっている術者患者１６に対して医師が術眼側の側面に位置する場合と、頭部の上方に位置する場合がある。つまり、術眼が右の場合と左の場合があるので、都合４通りの位置関係がある。図８は、医師が術眼側の側面に位置する場合で、左眼を手術し、右眼でテレビ９を見る場合であり、バー８ｂに、取付具１１が挿入されている。図９も、医師が術眼側の側面に位置する場合で、右眼を手術し、左眼でテレビ９を見る場合であり、バー８ｃに、取付具１１が挿入されている。
【００１２】
図１０は、医師が頭部の上方に位置する場合であり、左眼を手術し、右眼でテレビ９を見る場合であり、バー８ｄに、取付具１１が挿入されている。図１１も、医師が頭部の上方に位置する場合であり、右眼を手術し、左眼でテレビ９を見る場合であり、バー８ａに、取付具１１が挿入されている。いずれの場合も、支持具８のバー８ａ〜８ｄに取付具１１を抜き差しするだけで簡単に、テレビ９の位置の変更が可能である。なお、図８〜図１１中の術者患者１６は、支持具８のバー８ａ〜８ｄに対する術者患者１６の方向を示すために記載したものであり、実際には、術者患者１６はもっと大きくしかも患者１６の術眼が、顕微鏡の鏡筒部５の真下に位置するものである。
【００１３】
図１２は、テレビ９の表示画面９ａに取り付けるフィルター１７を示す。手術のために術者患者１６が、テレビ９の表示画面９ａを見ることで、眼球の不規則な動きが抑制されるが、さらに好ましくは、僚眼は表示画面９ａの中央部分を注視している方が良い。そこで、視線が表示画面９ａの中心に集中するように、図示したフィルター１７を表示画面９ａに取り付ける。フィルター１７は半透明なフィルムまたはシートからなり、中央に孔１７ａを形成しておくか透明材質にしておくことで、表示画面９ａは孔１７ａの部分が明るくなり、周囲が暗くなる。その結果、視線は自然と中心部に集中するようになる。
【００１４】
なお、表示画面９ａの中央部分を周囲部分よりも明るくして、視線が中心部に集中させる方法として、上述したフィルター１７以外の方法として、テレビ９の電子回路により、画面中央部よりも周囲を暗くするようにマスク処理することも可能である。また、他の方法としては、再生するＤＶＤソフト自体に、マスク処理して画面中央部の輝度を周囲よりも高くするようにすることも可能である。
【００１５】
また、上述した実施形態では、支持具８をフラットバーにより作成したが、他に丸棒、四角棒、六角棒、角パイブ、丸パイプ等により作成することも可能である。また、支持具８に差し込んだ取付具１１が、調整位置から移動しないようにロックするロック機構を設けることも可能である。また、上述した実施形態では、顕微鏡の鏡筒部５の側面が平面であったが、曲面の場合もあり、その場合は、取り付けられる支持具８の形状もそれに合わせた曲面とするものである。
【産業上の利用可能性】
【００１６】
本発明は、眼科の手術以外には、顕微鏡を用いる外科手術等の場合も、顕微鏡の鏡筒部が術者患者の頭部に近い場合は、テレビを取り付けて、手術中の術者患者に見させることも可能である。
【図面の簡単な説明】
【００１７】
【図１】眼科医院において手術に使用される顕微鏡の一例を示す外観図である。
【図２】鏡筒部へ取り付けられる支持具および取付具を示す分解斜視図である。
【図３】取付具を示す正面図および側面図である。
【図４】取付具にテレビを取り付けた状態を示す正面図である。
【図５】取付具にテレビを取り付けた状態を示す側面図である。
【図６】取付具にテレビを取り付けた状態を示す上面図である。
【図７】テレビが取り付けられた取付具を支持具に差し込んだ使用状態を示す側面図である。
【図８】支持具のバーの使用形態を示す上面図である。
【図９】支持具のバーの使用形態を示す上面図である。
【図１０】支持具のバーの使用形態を示す上面図である。
【図１１】支持具のバーの使用形態を示す上面図である。
【図１２】テレビの表示画面に取り付けるフィルターを示す外観図である。
【符号の説明】
【００１８】
１  軸
２，３  エレメント
４  顕微鏡本体
５  鏡筒部
６  対物レンズ
７  接眼レンズ
８  支持具
８ａ〜８ｄ  バー
９  テレビ
９ａ  表示画面
１１  取付具
１１ａ  角孔
１１ｂ  受台部
１２  面ファスナー
１３  板部
１４  ベルト
１５  ベッド
１６  術者患者
１７  フィルター
【図１】
2006068182.tif 000003
【図２】
2006068182.tif 000004
【図３】
2006068182.tif 000005
【図４】
2006068182.tif 000006
【図５】
2006068182.tif 000007
【図６】
2006068182.tif 000008
【図７】
2006068182.tif 000009
【図８】
2006068182.tif 000010
【図９】
2006068182.tif 000011
【図１０】
2006068182.tif 000012
【図１１】
2006068182.tif 000013
【図１２】
2006068182.tif 000014
【手続補正書】
【提出日】平成16年9月6日(2004.9.6)
【手続補正１】
【補正対象書類名】明細書
【補正対象項目名】０００３
【補正方法】変更
【補正の内容】
【０００３】
上述したように、僚眼にテレビの映像を見せて視点を集中させることで、手術眼の眼位を安定させることが可能になったが、このとき、テレビを患者の僚眼の前方に保持するために、専用のスタンドを用意した。そのスタンドは床面に自立できる構造で、上端を水平に屈曲させてその先端部にテレビを支持して、テレビの画面が、患者の僚眼の上方に位置するように、位置調整を行っていた。ところで、手術中には、患者の手術眼の上方に、手術用顕微鏡を配置しておかねばならず、この手術用顕微鏡のセッティングが終了した後に、テレビを支持するためのスタンドおよびその先端のテレビを、手術用顕微鏡やベッドと干渉することがないように、位置合わせをしなければならなかった。そのため、スタンドの水平アーム部も一定長さ以上必要となり、スタンド自体が大きくなる欠点があった。また、大型のスタンドを水平方向に移動して位置合わせする作業も、煩わしい作業であった。そこで、本発明は、位置合わせの煩わしい専用スタンドを用いることなく、テレビを患者の僚眼上方に保持することを可能にした眼科手術用画像表示装置を提案することを目的とした。
【手続補正２】
【補正対象書類名】明細書
【補正対象項目名】０００５
【補正方法】変更
【補正の内容】
【０００５】
以上述べたように本発明によれば、患者の僚眼の上方に配置するテレビを、手術用顕微鏡の鏡筒部に取り付けた支持具に、取付具を介して、保持するようにしたため、専用スタンドを用いる場合よりも、簡単にテレビを保持することが可能となる。また、僚眼が左右異なる場合や、患者に対する執刀医師の方向すなわち手術用顕微鏡の方向が９０度変わった場合も、その方向に対応する支持具のバーに取付具を付け替えるだけでテレビの位置および方向を簡単に対応させることが可能となり、手術前のテレビを配置する準備作業が簡単となる。
【手続補正３】
【補正対象書類名】明細書
【補正対象項目名】００１０
【補正方法】変更
【補正の内容】
【００１０】
図７は、このようにしてテレビ９が取り付けられた取付具１１を、支持具８に差し込んだ使用状態を示す。すなわち、ベッド１５の上に横たわった患者１６の術眼の上方に、顕微鏡の対物レンズ６が位置するようにセッティングする。次いで、僚眼の上方に位置する支持具８のバー８ａ〜８ｄのいずれかに、取付具１１を挿入して、僚眼のやや斜め上方に、テレビ９の表示画面９ａが位置するように調整する。この状態で、テレビ９をオンにして、テレビ放送や、ＤＶＤソフトを再生させて画面表示させておき、患者１６に、僚眼の方でその画面を注視させる。患者１６は、表示画面９ａを見ることで、注意が表示画面９ａに向けられて、手術前の不安感が緩和、または解消される。さらに、その状態から術眼に麻酔を施して手術を開始する。このときも、僚眼は、表示画面９ａ注視しているため、眼球の不規則な動きが抑制されて、術眼も安定して手術が円滑に進めることが可能となる。
【手続補正４】
【補正対象書類名】明細書
【補正対象項目名】００１１
【補正方法】変更
【補正の内容】
【００１１】
次に、支持具８のバー８ａ〜８ｄの使用形態について説明する。眼科手術における執刀医師と患者１６の位置関係は、仰向けで横になっている患者１６に対して医師が術眼側の側面に位置する場合と、頭部の上方に位置する場合がある。つまり、術眼が右の場合と左の場合があるので、都合４通りの位置関係がある。図８は、医師が術眼側の側面に位置する場合で、左眼を手術し、右眼でテレビ９を見る場合であり、バー８ｂに、取付具１１が挿入されている。図９も、医師が術眼側の側面に位置する場合で、右眼を手術し、左眼でテレビ９を見る場合であり、バー８ｃに、取付具１１が挿入されている。
【手続補正５】
【補正対象書類名】明細書
【補正対象項目名】００１２
【補正方法】変更
【補正の内容】
【００１２】
図１０は、医師が頭部の上方に位置する場合であり、左眼を手術し、右眼でテレビ９を見る場合であり、バー８ｄに、取付具１１が挿入されている。図１１も、医師が頭部の上方に位置する場合であり、右眼を手術し、左眼でテレビ９を見る場合であり、バー８ａに、取付具１１が挿入されている。いずれの場合も、支持具８のバー８ａ〜８ｄに取付具１１を抜き差しするだけで簡単に、テレビ９の位置の変更が可能である。なお、図８〜図１１中の患者１６は、支持具８のバー８ａ〜８ｄに対する患者１６の方向を示すために記載したものであり、実際には、患者１６はもっと大きくしかも患者１６の術眼が、顕微鏡の鏡筒部５の真下に位置するものである。
【手続補正６】
【補正対象書類名】明細書
【補正対象項目名】００１３
【補正方法】変更
【補正の内容】
【００１３】
図１２は、テレビ９の表示画面９ａに取り付けるフィルター１７を示す。手術のために患者１６が、テレビ９の表示画面９ａを見ることで、眼球の不規則な動きが抑制されるが、さらに好ましくは、僚眼は表示画面９ａの中央部分を注視している方が良い。そこで、視線が表示画面９ａの中心に集中するように、図示したフィルター１７を表示画面９ａに取り付ける。フィルター１７は半透明なフィルムまたはシートからなり、中央に孔１７ａを形成しておくか透明材質にしておくことで、表示画面９ａは孔１７ａの部分が明るくなり、周囲が暗くなる。その結果、視線は自然と中心部に集中するようになる。
【手続補正７】
【補正対象書類名】明細書
【補正対象項目名】００１６
【補正方法】変更
【補正の内容】
【００１６】
本発明は、眼科の手術以外には、顕微鏡を用いる外科手術等の場合も、顕微鏡の鏡筒部が患者の頭部に近い場合は、テレビを取り付けて、手術中の患者に見させることも可能である。
【手続補正８】
【補正対象書類名】明細書
【補正対象項目名】００１８
【補正方法】変更
【補正の内容】
【００１８】
１  軸
２，３  エレメント
４  顕微鏡本体
５  鏡筒部
６  対物レンズ
７  接眼レンズ
８  支持具
８ａ〜８ｄ  バー
９  テレビ
９ａ  表示画面
１１  取付具
１１ａ  角孔
１１ｂ  受台部
１２  面ファスナー
１３  板部
１４  ベルト
１５  ベッド
１６  患者
１７  フィルター